(57)【特許請求の範囲】
【請求項１】
患者の頭部を支持する頭部台と、患者の胸部を支持する胸部台と、患者の胴部を支持する胴部台と、患者の腰部を支持する腰部台を備え、これら頭部台、胸部台、胴部台および腰部台が長手方向に並べて配設され、患者の脊椎関節を治療するための治療台であって、
前記頭部台、胸部台、胴部台および腰部台のうちの少なくともいずれか一つの台には、前記台を略水平に上下動させるためのシリンダが取り付けられ、
前記シリンダは、スイッチのオンにて伸長して前記台を上方に移動させ、前記スイッチのオフにて縮退して前記台を下方に移動させる構成とされている
ことを特徴とする治療台。
【請求項２】
請求項１記載の治療台において、
前記シリンダには、縮退時に開放されて内部に取り込んだ流体を強制的に排出させる強制排出弁が取り付けられている
ことを特徴とする治療台。
【請求項３】
請求項２記載の治療台において、
前記強制排気弁は、前記シリンダの内部に取り込んだ流体を強制的に放出させて、前記シリンダの縮退動作を加速させる急速排気弁である
ことを特徴とする治療台。
【請求項４】
患者の頭部を支持する頭部台と、患者の胸部を支持する胸部台と、患者の胴部を支持する胴部台と、患者の腰部を支持する腰部台を備え、これら頭部台、胸部台、胴部台および腰部台が長手方向に並べて配設された治療台であって、
前記頭部台には、上昇させると前記胸部台に近づく方向に移動させ、下降させると前記胸部台から遠ざかる方向に移動させるリンク機構が取り付けられ、
前記リンク機構は、所定の操作により、前記頭部台の前記胸部台から離れた側寄りの位置を回転中心として回動可能とする構成とされている
ことを特徴とする治療台。
【請求項５】
請求項４記載の治療台において、
前記リンク機構にて前記頭部台を移動させるための移動用シリンダと、
前記リンク機構にて前記頭部台を回動させるための回動用シリンダと、を備えている
ことを特徴とする治療台。
【請求項６】
請求項４または５記載の治療台において、
前記リンク機構は、前記頭部台を揺動させる際の回転中心となる支点ピンを有し、この支点ピンを取り外すことにより、前記頭部台を回動可能とする
ことを特徴とする治療台。
【発明の詳細な説明】
【技術分野】
【０００１】
本発明は、患者を寝かせて脊椎関節等の治療を行うために使用する治療台に関する。
【背景技術】
【０００２】
従来、この種の脊椎関節等の治療を行うための治療台としては、例えば下記特許文献１に記載のように、患者の頭部を支持する頭部台と、患者の胸部を支持する胸部台と、患者の胴部を支持する胴部台と、患者の腰部を支持する腰部台とが長手方向に並べて配設されている。そして、これら頭部台、胸部台、胴部台および腰部台上に患者をうつ伏せに寝そべらせた状態で、この患者の適正部位やつぼ等を押して治療する際においては、これら頭部台、胸部台、胴部台および腰部台のうちの所定の台を施術者等が上方に引っ張って上昇移動させて固定してから、患者の所定部位に圧力を加えることによって、上昇移動させた第を所定間隔ほど下方へドロップ移動させる構成とされている。
【先行技術文献】
【特許文献】
【０００３】
【特許文献１】特開２０１１−２２４３６１号公報
【発明の概要】
【発明が解決しようとする課題】
【０００４】
しかしながら、上記特許文献１にかかる従来技術によれば、患者の適正部位やつぼ等を押して治療する際に、頭部台、胸部台、胴部台および腰部台のうちの所定の台を施術者が上方に引っ張って上昇移動させて固定する必要があるとともに、患者の所定部位に圧力を加えて上昇移動させた台を下方へドロップ移動させる必要がある。したがって、施術者に対する肉体的な負担が大きく、また、施術者の腕力やドロップ量の調整によって患者への負荷が変化してしまうため、患者に対する負担を軽減させることが容易でないといった問題がある。
【０００５】
そこで本発明は、従来技術における上記問題を解決し、施術者および患者の負荷を軽減できる治療台を提供することを目的とする。
【課題を解決するための手段】
【０００６】
この課題を解決するため、請求項１にかかる本発明は、患者の頭部を支持する頭部台と、患者の胸部を支持する胸部台と、患者の胴部を支持する胴部台と、患者の腰部を支持する腰部台を備え、これら頭部台、胸部台、胴部台および腰部台が長手方向に並べて配設され、患者の脊椎関節を治療するための治療台であって、前記頭部台、胸部台、胴部台および腰部台のうちの少なくともいずれか一つの台には、前記台を略水平に上下動させるためのシリンダが取り付けられ、前記シリンダは、スイッチのオンにて伸長して前記台を上方に移動させ、前記スイッチのオフにて縮退して前記台を下方に移動させる構成とされている、ことを特徴とする治療台である。
【０００７】
そして、このように構成したことにより、スイッチのオンにてシリンダを伸長させることにより、シリンダが取り付けられた頭部台、胸部台、胴部台および腰部台のうちの少なくともいずれか一つの台を略水平に上方に移動でき、スイッチのオフにてシリンダを縮退させ、シリンダが取り付けられた頭部台、胸部台、胴部台および腰部台のうちの少なくともいずれか一つの台を略水平に下方に移動できる。したがって、患者の脊椎関節を治療する際に行う、所定の台を施術者が上方に引っ張って略水平に上方に移動させて固定する作業や、患者の所定部位に圧力を加えて上方に移動させた台を略水平に下方へドロップ移動させる作業を無くすことができるから、患者の脊椎関節を治療する際の施術者に対する肉体的な負担を小さくでき、患者に対する負担を軽減させることができる。
【０００８】
請求項２は、請求項１の治療台において、前記シリンダには、縮退時に開放されて内部に取り込んだ流体を強制的に排出させる強制排出弁が取り付けられている、ことを特徴とする。
【０００９】
そして、このように構成したことにより、スイッチのオフにてシリンダを縮退させる際に、開放しシリンダの内部に取り込んだ流体を強制排出弁にて強制的に排出されるため、シリンダが取り付けられた頭部台、胸部台、胴部台および腰部台のうちの少なくともいずれか一つの台の下方への移動を、これら台および患者の自重による落下よりも迅速にできる。よって、施術者が不必要に患者の所定部位を押す等する必要が無くなるため、施術者に対する負荷を軽減でき、かつ、力のない施術者であっても患者の所定部位を押えた状態でシリンダを縮退させることにより適切な治療が可能になるとともに、施術者による不必要な患者の所定部位の押しが無くなるため、患者に対する負担を軽減させることができる。
【００１０】
請求項３は、請求項２の治療台において、前記強制排気弁は、前記シリンダの内部に取り込んだ流体を強制的に放出させて、前記シリンダの縮退動作を加速させる急速排気弁である、ことを特徴とする。
【００１１】
そして、このように構成したことにより、スイッチのオフにてシリンダを縮退させる際に、シリンダの内部に取り込んだ流体が急速排気弁にて強制的に放出されて、シリンダの縮退動作が加速させるため、シリンダが取り付けられた頭部台、胸部台、胴部台および腰部台のうちの少なくともいずれか一つの台の下方への移動を、これら台および患者の自重による落下よりもより迅速にできる。
【００１２】
請求項４は、患者の頭部を支持する頭部台と、患者の胸部を支持する胸部台と、患者の胴部を支持する胴部台と、患者の腰部を支持する腰部台を備え、これら頭部台、胸部台、胴部台および腰部台が長手方向に並べて配設された治療台であって、前記頭部台には、上昇させると前記胸部台に近づく方向に移動させ、下降させると前記胸部台から遠ざかる方向に移動させるリンク機構が取り付けられ、前記リンク機構は、所定の操作により、前記頭部台の前記胸部台から離れた側寄りの位置を回転中心として回動可能とする構成とされている、ことを特徴とする治療台である。
【００１３】
そして、このように構成したことにより、患者の上部頸椎、例えば第一頸椎から第四頸椎の治療を行う場合には、リンク機構を用い、頭部台を上昇させる際に胸部台に近づく方向に移動させた状態で、頭部台を下降させた際に胸部台から遠ざかる方向に移動させて、患者の頸椎を牽引する治療を行う。一方、患者の下部頸椎、例えば第五頸椎から第七頸椎の治療を行う場合には、所定の操作を行い、頭部台の胸部台から離れた側寄りの位置を回転中心として回動可能とさせた状態で、頭部台を上昇させ、患者の頸椎を牽引することなく、頭部台を下降させて治療を行うことができる。したがって、治療する患者の頸椎の位置に応じた適切な措置が可能となるため、施術者に対する負担に加え、患者に対する負担を軽減できる。
【００１４】
請求項５は、請求項４の治療台において、前記リンク機構にて前記頭部台を移動させるための移動用シリンダと、前記リンク機構にて前記頭部台を回動させるための回動用シリンダと、を備えている
、ことを特徴とする。
【００１５】
そして、このように構成したことにより、患者の上部頸椎、例えば第一頸椎から第四頸椎の治療を行う場合に、移動用シリンダを用いることにより、胸部台に近づく方向に移動させつつ頭部台を上昇でき、胸部台から遠ざかる方向に移動させつつ頭部台を下降させることができる。また、患者の下部頸椎、例えば第五頸椎から第七頸椎の治療を行う場合に、回動用シリンダを用いることにより、頭部台の胸部台寄りの位置を回転中心として回動させることができる。よって、治療する患者の頸椎の位置に応じた適切な措置を容易に行うことができるため、施術者に対する負担をより軽減させることができる。
【００１６】
請求項６は、請求項４または５の治療台において、前記リンク機構は、前記頭部台を揺動させる際の回転中心となる支点ピンを有し、この支点ピンを取り外すことにより、前記頭部台を回動可能とする、ことを特徴とする。
【００１７】
そして、このように構成したことにより、リンク機構の支点ピンを取り外すことによって、頭部台の胸部台寄りの位置を回転中心として回動可能にできる。よって、リンク機構に基づく揺動動作と回動動作との切り換え作業を容易にできるため、施術者に対する負担をより軽減させることができる。
【発明の効果】
【００１８】
本発明によれば、スイッチのオンにてシリンダを伸長させることにより、シリンダが取り付けられた頭部台、胸部台、胴部台および腰部台のうちの少なくともいずれか一つの台を略水平に上方に移動でき、スイッチのオフにてシリンダを縮退させ、シリンダが取り付けられた頭部台、胸部台、胴部台および腰部台のうちの少なくともいずれか一つの台を略水平に下方に移動できる。したがって、患者の脊椎関節を治療する際に行う、所定の台を施術者が上方に引っ張って略水平に上方に移動させて固定する作業や、患者の所定部位に圧力を加えて上方に移動させた台を略水平に下方へドロップ移動させる作業を無くすことができるから、患者の脊椎関節を治療する際の施術者に対する肉体的な負担を小さくでき、患者に対する負担を軽減させることができる。
【００１９】
また、患者の上部頸椎、例えば第一頸椎から第四頸椎の治療を行う場合には、リンク機構を用い、頭部台を上昇させる際に胸部台に近づく方向に移動させた状態で、頭部台を下降させた際に胸部台から遠ざかる方向に移動させて、患者の頸椎を牽引する治療を行うことができる。一方、患者の下部頸椎、例えば第五頸椎から第七頸椎の治療を行う場合には、所定の操作を行い、頭部台の胸部台寄りの位置を回転中心として回動可能とさせた状態で、頭部台を上昇させ、患者の頸椎を牽引することなく、頭部台を下降させて治療を行うことができる。したがって、治療する患者の頸椎の位置に応じた適切な措置が可能となるため、施術者に対する負担に加え、患者に対する負担を軽減させることができる。そして、前述した以外の課題、構成および効果は、以下の実施形態の説明より明らかにされる。
【図面の簡単な説明】
【００２０】
【図１】本発明の第１実施形態による治療台の概要を示す図で、（ａ）は平面図、（ｂ）は正面図である。
【図２】上記治療台の腰部台の概要を示す左側面図である。
【図３】上記治療台の頭部台の概要を示す部分拡大図で、（ａ）は下降位置を示し、（ｂ）は上昇位置を示す。
【図４】上記治療台の頭部台の概要を示す部分拡大図で、（ａ）は水平位置を示し、（ｂ）は傾斜位置を示す。
【図５】上記治療台を駆動させるための駆動システムの概略図である。
【図６】上記治療台を駆動させるための第２実施形態に係る駆動システムの概略図である。
【発明を実施するための形態】
【００２１】
［第１実施形態］
本発明の第１実施形態による治療台について図１ないし図４を参照して説明する。図１は、本発明の第１実施形態による治療台の概要を示す図で、（ａ）は平面図、（ｂ）は正面図である。図２は、治療台の腰部台の概要を示す左側面図である。図３は、治療台の頭部台の概要を示す部分拡大図で、（ａ）は下降位置を示し、（ｂ）は上昇位置を示す。図４は、治療台の頭部台の概要を示す部分拡大図で、（ａ）は水平位置を示し、（ｂ）は傾斜位置を示す。
【００２２】
＜全体構成＞
本発明の第１実施形態に係る治療台１は、主として頸椎等の脊椎関節の治療を行うために使用されるものであって、患者をうつ伏せにして頭部と腰部とを支えた状態で、この患者の脊椎関節等を治療したり施術したりする施術台である。治療台１は、図１（ａ）および図１（ｂ）に示すように、走行可能に構成された機台２上に、ベッド状の治療台本体３が設置されている。治療台本体３は、治療台本体３上に患者を寝そべらせた場合に、患者の頭部を支持する頭部台４と、患者の胸部を支持する胸部台５と、患者の胴部を支持する胴部台６と、患者の腰部を支持する腰部台７と、患者の脚部を支持する脚部台８とを備えている。頭部台４、胸部台５、胴部台６、腰部台７および脚部台８は、治療台本体３の長手方向に沿って並べられて配設されている。治療台本体３は、機台２に取り付けられた昇降機構２１によって、治療台本体３の基端側を回転中心として回動可能かつ昇降可能とされている。昇降機構２１は、一端が機台２の長手方向の中心位置より頭部台４側である先端寄りの位置に接続された駆動手段としての油圧シリンダ２２を備えている。
【００２３】
治療台本体３は、一対の本体フレーム３１を備え、これら一対の本体フレーム３１の脚部台８側である基端側が機台２に回転可能に接続され、これら一対のフレーム３１の基端側と機台２との間に油圧シリンダ２２の他端が回動可能に接続され、油圧シリンダ２２の駆動にて治療台本体３の先端側を上方に向けて移動させ、水平位置から所定の角度に起立できる構成とされている。一対のフレーム３１の基端側には、治療台本体３を回動させて起立させた場合に、患者の足部が載って自立可能にさせる踏台部３２が取り付けられている。踏台部３２は、昇降機構２１の油圧シリンダ２２による治療台本体３の起立および動作に連動して、踏台部３２の基端側を中心として回動する構成とされている。
【００２４】
頭部台４は、一対の本体フレーム３１の先端側に取り付けられ、図１、図３および図４に示すように、平面視略凹状の頭部マット４１を備えている。頭部マット４１は、一対の平面視細長矩形状のマット材４１ａ，４１ｂの長手方向を治療台本体３の長手方向に沿わせた状態とされ、かつ所定の間隔を空けて平板状の頭部プレート４２上に取り付けられている。頭部プレート４２は、平板状の頭部スイングプレート４３上にリンク機構４４を介して上下方向に揺動可能かつ昇降可能に取り付けられている。
【００２５】
リンク機構４４は、図３に示すように、頭部プレート４２の下面と頭部スイングプレート４３の上面との間に設けられている。リンク機構４４は、頭部プレート４２の下面の前側および後側のそれぞれに設けられた上部連結部４２ａと、頭部スイングプレート４３の上面の前側および後側のそれぞれに設けられた下部連結部４３ａと、上部連結部４２ａと下部連結部４３ａとを揺動可能かつ回動可能に連結させる連結プレート４４ａとを備えた垂直上下リンクである。
【００２６】
各上部連結部４２ａおよび下部連結部４３ａには、頭部プレート４２の幅方向に貫通した貫通穴４２ｂ，４３ｂが設けられている。連結プレート４４ａは、略矩形平板状に形成され、連結プレート４４ａの長手方向の両端部に厚さ方向に貫通した連結穴４４ｂが設けられている。頭部プレート４２の頭側（前側）の各貫通穴４２ｂと連結プレート４４ａの一端側の連結穴４４ｂとがピン材４４ｃにて回動可能に連結され、連結プレート４４ａの他端側の連結穴４４ｂと頭部スイングプレート４３の頭側の貫通穴４３ｂとがピン材４４ｃにて回動可能に連結されている。よって、頭部プレート４２の頭側は、連結プレート４４ａにより前後方向かつ上下方向に揺動可能に連結されている。
【００２７】
一方、頭部プレート４２の足側（後側）の各貫通穴４２ｂと連結プレート４４ａの一端側の連結穴４４ｂとは、細長円柱状の一本の支点ピン４４ｄにて回動可能に連結され、連結プレート４４ａの他端側の連結穴４４ｂと頭部スイングプレート４３の足側の連結穴４３ｂとがピン材４４ｃにて回動可能に連結されている。支点ピン４４ｄは、頭部台４を揺動させる際の回転中心であって、抜き差し可能かつ差し込み可能な構成とされ、支点ピン４４ｄを引き抜くことにより、頭部プレート４２と頭部スイングプレート４３との連結を解除させ、頭部プレート４２の頭側を回転中心として、頭部プレート４２を回動可能とさせる。よって、リンク機構４４は、支点ピン４４ｄを取り付けた状態で頭部台４を上昇させると、頭部台４を胸部台５に近づく方向に揺動され、頭部台４を下降させると胸部台５から遠ざかる方向に揺動される。そして、支点ピン４４ｄを引き抜く所定の操作をした状態において、リンク機構４４は、頭部台４の胸部台５とは反対側（頭側）の位置を回転中心として回動可能とする。
【００２８】
頭部スイングプレート４３の略中心部には、上下方向に昇降可能な略円柱状のリフトアップ機構４５が取り付けられている。リフトアップ機構４５の上端部には、頭部プレート４２の前後方向に向けて回転可能な円盤状のリフトアップローラ４５ａが回転可能に取り付けられている。リフトアップ機構４５の下端側には、リフトアップ機構４５を昇降移動させるためのリンク材４５ｂを介して移動用シリンダである揺動用シリンダとしての上下シリンダ４６が取り付けられている。上下シリンダ４６は、リンク機構４４にて頭部台４を揺動（移動）させるものであって、上下シリンダ４６のシリンダ部４６ａの伸長にてリンク材４５ｂを押圧して回動させ、図３（ｂ）に示すように、リンク材４５ｂにてリフトアップ機構４５を上昇させる。また、上下シリンダ４６は、シリンダ部４６ａの縮退にてリンク材４５ｂの押圧を解除して回動させ、リンク材４５ｂによるリフトアップ機構４５の上昇を解除させ、図３（ａ）に示すように、頭部台４の自重にてリフトアップ機構４５を下降させる。
【００２９】
頭部スイングプレート４３の上面の後側寄りの位置には、支点ピン４４ｄを引き抜いた状態で、頭部プレート４２の前側を回転中心として回動させる際に用いる回動用シリンダとしての傾斜シリンダ４８が取り付けられている。傾斜シリンダ４８は、リンク機構４４にて頭部台４を回動させるものであって、シリンダ部４８ａを上方に伸長させる構成とされている。すなわち、傾斜シリンダ４８は、支点ピン４４ｄを引き抜いた状態で、シリンダ部４８ａの伸長にて頭部プレート４２の下面の後側寄りの位置に設けられた係止凹部４２ｃを押圧して頭部プレート４２を回動させて、図４（ｂ）に示すように、頭部プレート４２を頭側から足側に向けて上方に傾斜させた状態とする。また、傾斜シリンダ４８は、シリンダ部４８ａの縮退にて頭部プレート４２の押圧を解除して頭部プレート４２を逆方向に回動させ、図４（ａ）に示すように、頭部プレート４２を略水平な状態とする。
【００３０】
頭部スイングプレート４３の下方には、頭部台４を長手方向、すなわち前後方向にスライド移動させるための前後シリンダ４９が取り付けられている。前後シリンダ４９は、シリンダ部４９ａを備え、このシリンダ部４９ａを伸長させることにより頭部マット４１を前方にスライド移動させ、かつシリンダ部４９ａを縮退させることにより頭部マット４１を後方、すなわち胸部台５に近づく方向へスライド移動させる。
【００３１】
胸部台５は、平面視略矩形状の胸部マット５１を備えている。胸部マット５１は、平板状の取付プレート５２上に昇降可能に取り付けられている。取付プレート５２は、胸部マット５１の先端側を水平位置から所定距離ほど上昇させて傾けることができる構成とされている。取付プレート５２の下部には、胸部マット５１の傾きを調整するための操作ハンドル５３が取り付けられている。胸部台５の胸部マット５１と取付プレート５２との間には、胸部マット５１を昇降させるための胸部シリンダ５４が取り付けられている。胸部シリンダ５４は、伸長することによって胸部マット５１を所定間隔ほど上昇移動させて固定し、縮退することによって胸部マット５１を所定間隔ほど下方にスライド移動させる。
【００３２】
胴部台６は、平面視略矩形状の胴部マット６１を備えている。胴部マット６１もまた、取付プレート６２上に昇降可能に取り付けられている。胴部マット６１と取付プレート６２との間にもまた、胴部マット６１を昇降させる胴部シリンダ６４が取り付けられている。胴部シリンダ６４は、伸長することによって胴部マット６１を所定間隔ほど上昇移動させて固定し、縮退することによって胴部マット６１を所定間隔ほど下方にスライド移動させる。
【００３３】
腰部台７は、一対の本体フレーム３１の基端側に取り付けられ、図１（ａ）および図１（ｂ）に示すように、平面視略凹状の腰部マット７１を備えている。腰部マット７１は、凹状の開口部７１ａ側を先端側に向けた状態で、平板状の腰部プレート７２上に設置されて取り付けられ、胴部プレート７２の基端側が、平板状の腰部スイングプレート７３の基端側に設けられた連結部７３ａによって、上下方向に回動可能に連結されている。腰部プレート７２は、腰部プレート７２の先端側の両側部に取り付けられた摘み７４を把持して上下操作することによって、腰部プレート７２の基端側の連結部７３ａを回転中心として、腰部プレート７２の先端側を水平位置から、所定角度ほど上方に回動させて昇降可能とされている。
【００３４】
腰部プレート７２と腰部スイングプレート７３と間にもまた、図２に示すように、腰部マット７１を昇降させる腰部シリンダ７５が取り付けられている。腰部シリンダ７５は、伸長することによって腰部マット７１を所定間隔ほど上昇移動させて固定し、縮退することによって腰部マット７１を所定間隔ほど下方にスライド移動させる。
【００３５】
脚部台８は、平面視細長矩形状の脚部マット８１を備えている。脚部マット８１は、平板状の脚部プレート８２上に取り付けられている。脚部プレート８２の下面には、一対の本体フレーム３１と踏台部３２との間に回動可能に取り付けられた連結フレーム８３の先端寄りの位置の上方に下端が多段階に長さ調整可能かつ回動可能に接続された脚部フレーム８４の上端が回動可能に接続されている。脚部プレート８２の下面には、連結フレーム８４の中間位置に下端が回動可能に接続された保持部としての脚部シリンダ８５の上端が回動可能に接続されている。脚部マット８１は、脚部フレーム８４の下端の回動位置、すなわち係合位置を調整することによって、多段階、例えば３段階に高さ調整可能に構成され、この高さ調整が脚部シリンダ８５にて保持されている。脚部シリンダ８５は、脚部シリンダ８５の長さを調整することによって、脚部マット８１を踏台部３２側に回動調整可能とされている。
【００３６】
連結フレーム８３の中間部には、側面視円板状の回転軸８６が回転可能に取り付けられている。回転軸８６は、機台２に取り付けられたカム８７に沿って移動可能に設置され、この機台２から昇降機構２１にて本体フレーム３１を略水平な状態から起立動作させる際、および本体フレーム３１を起立状態から略水平な状態に戻す動作をさせる際に、カム８７に沿って移動して、本体フレーム３１の移動に連動させて脚部マット８１および踏台部３２を動作させる。
【００３７】
治療台本体３の両側部には、動作させるシリンダ４６，４８，５４，６４，７５を選択するための切換ハンドル９ａが取り付けられている。切換ハンドル９ａは、回転させることにより、例えば頭部台４のみ（Ｈ）、胸部台５のみ（Ｄ）、胸部台５および胴部台６（ＤＬ）、胴部台６のみ（Ｌ）、胴部台６および腰部台７（ＬＰ）、腰部台７のみ（Ｐ）の計６パターンのいずれかを選択でき、これら６パターンのうちの、いずれか一つの選択したパターンに対応する台４〜７のシリンダ４６，４８，５４，６４，７５を駆動可能とする。
【００３８】
治療台３には、細長矩形平板状のテープスイッチ９ｂが取り付けられている。テープスイッチ９ｂは、治療台３が設置されている設置面上に設置され、テープスイッチ９ｂを踏む等して所定の圧力を付加した場合に、圧力の負荷にてオンし、圧力の負荷を解除することによりオフする。テープスイッチ９ｂは、オンされた場合に、切換ハンドル９ａにて選択されたシリンダ４６，４８，５４，６４，７５のシリンダ部４６ａ，４８ａ，５４ａ，６４ａ，７５ａを伸長させ、オフされた場合に、伸長させたシリンダ４６，４８，５４，６４，７５のシリンダ部４６ａ，４８ａ，５４ａ，６４ａ，７５ａを縮退させる。
【００３９】
＜回路構成＞
次に、上記第１実施形態の治療台１のエア回路構成について、図５を参照して説明する。図５は、治療台を駆動させるための駆動システムの概略図である。
【００４０】
図５に示すように、上下シリンダ４６は、空気供給装置であるエアコンプレッサ（図示せず）にて加圧された空気の供給によりシリンダ部４６ａを伸長動作させる側のボトム室４６ｂと、空気の供給によりシリンダ部４６ａを縮退動作させる側のロッド室４６ｃと備え、ボトム室４６ｂとロッド室４６ｃとの間に電磁弁４６ｄが接続されている。電磁弁４６ｄは、供給されてくる空気をボトム室４６ｂへ供給する第１ポート４６ｅと、供給されてくる空気をロッド室４６ｃへ供給する第２ポート４６ｆとを有している。電磁弁４６ｄの第２ポート４６ｆとボトム室４６ｂとの間には、ボトム室４６ｂから排出される空気を強制的に外気へ放出させる急速排気弁としての強制排出弁である強制排気弁４６ｇが接続されている。強制排気弁４６ｇは、電磁弁４６ｄから供給される空気を通過させてボトム室４６ｂへ供給するものの、ボトム室４６ｂから排出される空気を強制的に外気（エア配管外）へ放出させる。すなわち、強制排気弁４６ｇは、上下シリンダ４６の縮退時に、ボトム室４６ｂ内に取り込んだ空気を強制的に排出させ、上下シリンダ４６の縮退動作を強制的に加速させる。
【００４１】
電磁弁４６ｄは、図１に示すテープスイッチ９ｂのオンオフにて駆動される構成とされ、テープスイッチ９ｂを踏む等して圧力を加えてオンさせた場合に、第１ポート４６ｅ側に駆動され、供給されてくる空気を上下シリンダ４６のボトム室４６ｂへ供給し、上下シリンダ４６のシリンダ部４６ａを伸長駆動させる。テープスイッチ９ｂに加えた圧力を解除させてオフさせた場合には、第２ポート４６ｆ側へ電磁弁４６ｄが駆動され、供給されてくる空気を上下シリンダ４６のロッド室４６ｃへ供給し、上下シリンダ４６のシリンダ部４６ａを縮退駆動させつつ、ボトム室４６ｄから排出される空気を強制排気弁４６ｇにて強制的に外部へ排気させる。
【００４２】
傾斜シリンダ４８もまた、上下シリンダ４６と同様に構成されている。傾斜シリンダ４８は、ボトム室４８ｂおよびロッド室４８ｃを備え、ボトム室４８ｂとロッド室４８ｃとの間に電磁弁４８ｄが接続されている。電磁弁４８ｄは、空気をボトム室４８ｂへ供給する第１ポート４８ｅと、ロッド室４８ｃへ供給する第２ポート４８ｆとを有し、電磁弁４８ｄの第２ポート４８ｆとボトム室４８ｅとの間に、ボトム室４８ｅから排出される空気を強制的に外気へ放出させる強制排気弁４８ｇが接続されている。電磁弁４８ｄもまた、テープスイッチ９ｂにて駆動される構成とされ、テープスイッチ９ｂをオンした場合に第１ポート４８ｅ側に駆動され、供給される空気をボトム室４８ｅへ供給しシリンダ部４８ａを伸長駆動させる。テープスイッチ９ｂをオフした場合には、第２ポート４８ｆ側に駆動され、供給される空気をロッド室４８ｃへ供給しシリンダ部４８ａを縮退駆動させつつ、ボトム室４８ｂからの排気を強制排気弁４８ｇにて強制的に外部へ排出させる。
【００４３】
上下シリンダ４６に取り付けられた電磁弁４６ｄと、傾斜シリンダ４８に取り付けられた電磁弁４８ｄとは、電磁弁４６ｄ，４８ｄへの空気の供給を切り換えるための切換弁９０ａに接続されている。切換弁９０ａの上流側には、切換弁９０ａへの空気の供給をオンオフするオンオフ弁９０ｂが接続されている。オンオフ弁９０ｂの上流側は、エアコンプレッサに接続するためのエア供給口９０に接続されている。
【００４４】
前後シリンダ４９もまた、上下シリンダ４６と同様に、ボトム室４９ｂおよびロッド室４９ｃを備えている。ボトム室４９ｂとロッド室４９ｃとのそれぞれには、オンオフ弁９１ｃ，９１ｄが取り付けられ、各オンオフ弁９１ｃ，９１ｄの上流側は、エア供給口９０に接続されている。
【００４５】
胸部シリンダ５４は、上下シリンダ４６と同様に、シリンダ部５４ａ、ボトム室５４ｂおよびロッド室５４ｃを備えている。ボトム室５４ｂとロッド室５４ｃとには、ボトム室５４ｂまたはロッド室５４ｃへの空気の供給をオンオフさせるオンオフ弁５４ｄ，５４ｆが接続されている。ボトム室５４ｂとオンオフ弁５４ｄとの間には、ボトム室５４ｂから排出される空気を強制的に外気に放出させる強制排気弁５４ｇが接続されている。
【００４６】
オンオフ弁５４ｄ，５４ｆは、図１に示すテープスイッチ９ｂのオンオフにて駆動される構成とされ、テープスイッチ９ｂをオンした場合に、オンオフ弁５４ｆがオフされかつオンオフ弁５４ｄがオンされ、供給されてくる空気をボトム室５４ｂへ供給しシリンダ部５４ａを伸長駆動させる。テープスイッチ９ｂをオフさせた場合には、オンオフ弁５４ｄがオフされかつオンオフ弁５４ｆがオンされ、供給されてくる空気をロッド室５４ｃへ供給しシリンダ部５４ａを縮退駆動させつつ、ボトム室５４ｂから排出されてくる空気を強制排気弁５４ｇにて強制的に外部へ排気させる。
【００４７】
胴部シリンダ６４は、胸部シリンダ５４と同様に構成され、シリンダ部６４ａ、ボトム室６４ｂおよびロッド室６４ｃを備え、ボトム室６４ｂとロッド室６４ｃとのそれぞれにオンオフ弁６４ｄ，６４ｆが取り付けられ、ボトム室６４ｂとオンオフ弁６４ｄとの間に強制排気弁６４ｇが接続されている。腰部シリンダ７５もまた、胸部シリンダ５４と同様に構成され、シリンダ部７５ａ、ボトム室７５ｂおよびロッド室７５ｃを備え、ボトム室７５ｂとロッド室７５ｃとにオンオフ弁７５ｄ，７５ｆがそれぞれ取り付けられ、ボトム室７５ｂとオンオフ弁７５ｄとの間に強制排気弁７５ｇが接続されている。
【００４８】
オンオフ弁６４ｄ，６４ｆもまた、オンオフ弁５４ｄ，５４ｆと同様に構成され、テープスイッチ９ｂをオンした場合に、オンオフ弁６４ｆがオフされかつオンオフ弁６４ｄがオンされる。テープスイッチ９ｂをオフした場合には、オンオフ弁７５ｄがオフされかつオンオフ弁７５ｆがオンされる。また、オンオフ弁７５ｄ，７５ｆも同様に、テープスイッチ９ｂをオンした場合にオンオフ弁７５ｆがオフされかつオンオフ弁７５ｄがオンされ、テープスイッチ９ｂをオフした場合にオンオフ弁７５ｄがオフされかつオンオフ弁７５ｆがオンされる。
【００４９】
胸部シリンダ５４、胴部シリンダ６４および腰部シリンダ７５の上流側には、電磁弁９１が接続されている。電磁弁９１は、供給されてくる空気を各シリンダ５４，６４，７５のボトム室５４ｂ，６４ｂ，７５ｂ、すなわちオンオフ弁５４ｄ，６４ｄ，７５ｄへ供給する第１ポート９１ａと、供給されてくる空気をロッド室５４ｃ，６４ｃ，７５ｃ、すなわちオンオフ弁５４ｆ，６４ｆ，７５ｆへ供給する第２ポート９１ｂとを有する構成とされ、電磁弁９１の上流側がエア供給口９０に接続されている。
【００５０】
次に、上記第１実施の形態の治療台１の使用方法について、説明する。
【００５１】
＜治療準備＞
まず、治療台１のエア供給口９０がエアコンプレッサに接続された状態で、エアコンプレッサを起動させつつ、治療台１の昇降機構２１の油圧シリンダ２２を駆動させて、機台２から治療台本体３を起立させた状態に移動させる。この状態で、治療台１を用いて脊椎関節等の治療を行う患者を、治療台１の治療台本体３側に向かせて踏台部３２に起立させる。このとき、必要に応じ、前後シリンダ４９のオンオフ弁９１ｃ，９１ｄを操作して、治療台２の頭部台４を本体フレーム３１に沿って適宜移動させ、頭部台４の位置を調整する。
【００５２】
次いで、治療台１の昇降機構２１の油圧シリンダ２２を再度駆動させて、治療台本体３が略水平となるように移動させて、治療台本体３上に患者をうつ伏せで寝そべらせた状態とする。このとき、治療台本体３の頭部台４の頭部マット４１のマット材４１ａ，４１ｂ間に患者の顔部の鼻や口等を位置させ、マット材４１ａ，４１ｂにて患者の頭部の前面両側を支持させる。また、治療台本体３の胸部台５の胸部マット５１にて患者の胸部前面を支持させるとともに、治療台本体３の胴部台６の胴部マット６１にて患者の胴部前面を支持させる。同時に、治療台本体３の腰部台７の腰部マット７１の開口部７１ａに患者の股間を位置させ、腰部マット７１にて患者の腰部前面を支持させるとともに、治療台本体３の脚部台８の脚部マット８１にて患者の脚部前面を支持させる。また必要に応じ、治療台１の昇降機構２１の油圧シリンダ２２を適宜操作して、治療台１の治療台本体３の基端側を中心として回動させて、治療台本体３の傾きを調整する。
【００５３】
＜頭部調整＞
そして、必要に応じ、治療台本体３の頭部台４の頭部マット４１にて支持されている患者の頭部の位置や向きを適宜調整する。このとき、患者の頭部の横方向の傾きを調整する場合には、頭部台４の首振バー４７を把持して頭部マット４１を回転させて、頭部マット４１の水平方向の傾きを調整する。
【００５４】
＜胸部および胴部調整＞
また、必要に応じ、治療台本体３の胸部台５の胸部マット５１にて支持されている患者の胸部位置、および治療台本体３の胴部台６の胴部マット６１にて支持されている患者の胴部位置を適宜調整する。
【００５５】
＜腰部調整＞
また、必要に応じ、治療台本体２の腰部台７の腰部マット７１にて支持されている患者の腰部の位置や向きを適宜調整する。このとき、腰部台７の腰部マット７１にて支持されている患者の腰部の前後方向の傾きを調整する場合には、腰部台７の摘み７４を適宜操作して、腰部台７の腰部マット７１の先端側の連結部７３ａを中心として回動させて、腰部マット７１の長手方向の傾きを調整する。
【００５６】
＜脚部調整＞
さらに、必要に応じ、治療台本体３の脚部台８の脚部マット８１にて支持されている患者の脚部位置を適宜調整する。この場合に、脚部台８の脚部マット８１にて支持されている患者の脚部の高さ位置を調整する場合には、脚部台８の脚部マット８１等を把持し、脚部マット８１を脚部シリンダ８５に抗して進退させたり、脚部マット８１を支持する脚部フレーム８４の下端の回動位置を適宜ずらしたりし、脚部マット８１の高さ位置および前後方向の位置を適宜調整する。
【００５７】
＜治療＞
上記のように、治療台１の治療台本体３上にうつ伏せに寝そべらせた患者の脊椎の形状、捩じれおよび状態等に合わせて、治療台本体３の頭部台４、胸部台５、胴部台６、腰部台７および脚部台８それぞれの位置を調整した状態で、患者の適正部位やつぼを医師等の施術者が押したり引っ張ったりして、患者の頸椎・胸椎・腰椎等の脊椎関節の治療を行う。
【００５８】
（上部頸椎）
このとき、患者の適正部位やつぼ等を押して治療する際に、患者の、例えば第一頸椎から第四頸椎までの上部頸椎に一定の圧力を加えつつ牽引治療する場合には、切換ハンドル９ａを回転させて、頭部台４のみ（Ｈ）の位置に操作し、オンオフ弁９０ｂをオンさせるとともに、エアコンプレッサからの空気が上下シリンダ４６へ供給されるように切換弁９０ａを操作する。この後、テープスイッチ９ｂを踏む等してオンさせることにより、電磁弁４６ｄが第１ポート４６ｅへ駆動され、エアコンプレッサからの空気が上下シリンダ４６のボトム室４６ｂへ供給され、上下シリンダ４６のシリンダ部４６ａが伸長し、リンク機構４４によって頭部マット４１が胸部マット５１に近づく方向（足側）に揺動されつつ上方に移動する。
【００５９】
この状態で、頭部マット４１に載った患者の頭部の、例えば第一頸椎から第四頸椎までの上部頸椎のうちの所定のつぼ等を押えた状態で、テープスイッチ９ｂ上に載せた足を移動させて、テープスイッチ９ｂをオフさせることにより、電磁弁４６ｄが第２ポート４６ｆへ駆動され、エアコンプレッサからの空気が上下シリンダ４６のロッド室４６ｃへ供給され、上下シリンダ４６のシリンダ部４６ａが縮退する。このとき、上下シリンダ４６のボトム室４６ｂから排出される空気が強制排気弁４６ｇから強制的に外部へ排気され、リンク機構４４よって頭部マット４１が胸部マット５１から遠ざかる方向（頭側）に揺動されつつ下方に強制的に急速移動（ドロップ移動）され、患者の上部頸椎のうちの押えた位置を支点した牽引治療がされる。
【００６０】
（下部頸椎治療）
患者の、例えば第五頸椎から第七頸椎までの下部頸椎に一定の圧力を加えてドロップ治療する場合には、切換ハンドル９ａを頭部台４のみ（Ｈ）の位置とした状態で、オンオフ弁９０ｂをオンさせるとともに、エアコンプレッサからの空気が傾斜シリンダ４８へ供給されるように切換弁９０ａを操作する。そして、頭部プレート４２の下部から支点ピン４４ｄを引き抜いて、頭部プレート４２の頭側を回転中心として、頭部プレート４２を回動可能とさせる。この後、テープスイッチ９ｂを踏む等してオンさせることにより、電磁弁４８ｄが第１ポート４８ｅへ駆動され、エアコンプレッサからの空気が傾斜シリンダ４８のボトム室４８ｂへ供給され、傾斜シリンダ４８のシリンダ部４８ａが伸長し、リンク機構４４にて頭部マット４１の頭側のピン材４４ｃを回転中心として上方に回動される。
【００６１】
この状態で、頭部マット４１に載った患者の頭部の、例えば第五頸椎から第七頸椎までの下部頸椎のうちの所定のつぼ等を押えた状態で、テープスイッチ９ｂ上に載せた足を移動させる等し、テープスイッチ９ｂをオフさせることにより、電磁弁４８ｄが第２ポート４８ｆへ駆動され、エアコンプレッサからの空気が傾斜シリンダ４８のロッド室４８ｃへ供給され、傾斜シリンダ４８のシリンダ部４８ａが縮退する。このとき、傾斜シリンダ４８のボトム室４８ｂから排出される空気が強制排気弁４８ｇから強制的に外部へ排気され、リンク機構４４にて頭部マット４１の頭側のピン材４４ｃを回転中心として頭部マット４１が下方に強制的に急速回動（ドロップ移動）され、患者の下部頸椎のうちの押えた位置での治療がされる。
【００６２】
（胸部治療）
患者の胸部をドロップ治療する場合には、切換ハンドル９ａを回転させて、胸部台５のみ（Ｄ）、または胸部台５および胴部台６（ＤＬ）のいずれかの位置へ操作し、少なくともオンオフ弁５４ｄ，５４ｆをオンさせる。この後、テープスイッチ９ｂを踏む等してオンさせることにより、電磁弁９１が第１ポート９１ａへ駆動され、エアコンプレッサからの空気が胸部シリンダ５４のボトム室５４ｂへ供給され、胸部シリンダ５４のシリンダ部５４ａが伸長して、胸部マット５１が上方に移動する。
【００６３】
この後、胸部マット５１に載った患者の胸部の所定のつぼ等を押えた状態で、テープスイッチ９ｂ上に載せた足を移動させる等し、テープスイッチ９ｂをオフさせることにより、電磁弁９１が第２ポート９１ｂへ駆動され、エアコンプレッサからの空気が胸部シリンダ５４のロッド室５４ｃへ供給され、胸部シリンダ５４のシリンダ部５４ａが縮退する。このとき、胸部シリンダ５４のボトム室５４ｂから排出される空気が強制排気弁５４ｇから強制的に外部へ排気され、胸部マット５１が下方に強制的に急速移動（ドロップ移動）され、患者の胸部のドロップ治療がされる。
【００６４】
（胴部治療）
患者の胴部をドロップ治療する場合には、切換ハンドル９ａを回転させて、胸部台５および胴部台６（ＤＬ）、胴部台６のみ（Ｌ）、または胴部台６および腰部台７（ＬＰ）のいずれかの位置へ操作し、少なくともオンオフ弁６４ｄ，６４ｆをオンさせる。この後、テープスイッチ９ｂをオンさせることにより、電磁弁９１が第１ポート９１ａへ駆動され、エアコンプレッサからの空気が胴部シリンダ６４のボトム室６４ｂへ供給されてシリンダ部６４ａが伸長して、胴部マット６１が上方に移動する。
【００６５】
この後、胴部マット６１に載った患者の胴部の所定のつぼ等を押えた状態で、テープスイッチ９ｂをオフさせることにより、電磁弁９１が第２ポート９１ｂへ駆動され、エアコンプレッサからの空気が胴部シリンダ６４のロッド室６４ｃへ供給されてシリンダ部５４ａが縮退する。このとき、ボトム室６４ｂから排出される空気が強制排気弁６４ｇから強制的に外部へ排気され、胴部マット６１が下方に強制的に急速移動され、患者の胴部のドロップ治療がされる。
【００６６】
（腰部治療）
患者の腰部をドロップ治療する場合には、切換ハンドル９ａを回転させて、胴部台６および腰部台７（ＬＰ）、または腰部台７のみ（Ｐ）のいずれかの位置へ操作し、少なくともオンオフ弁７５ｄ，７５ｆをオンさせる。この後、テープスイッチ９ｂをオンさせることにより、電磁弁９１が第１ポート９１ａへ駆動され、エアコンプレッサからの空気が腰部シリンダ７５のボトム室７５ｂへ供給されてシリンダ７５ａが伸長して、胴部マット７１が上方に移動する。
【００６７】
この後、腰部マット７１に載った患者の腰部の所定のつぼ等を押えた状態で、テープスイッチ９ｂをオフさせることにより、電磁弁９１が第２ポート９１ｂへ駆動され、エアコンプレッサからの空気が腰部シリンダ７５のロッド室７５ｃへ供給されてシリンダ部７４ａが縮退する。このとき、ボトム室６４ｂから排出される空気が強制排気弁７５ｇから強制的に外部へ排気され、腰部マット７１が下方に強制的に急速移動され、患者の腰部のドロップ治療がされる。
【００６８】
前述のように、本発明の第１実施形態に係る治療台１は、頭部台４、胸部台５、腰部台６、胴部台７のうちの切換ハンドル９ａにて選択したいずれか１つ以上の上下シリンダ４６、傾斜シリンダ４８、胸部シリンダ５４、腰部シリンダ６４および胴部シリンダ７５につき、テープスイッチ９ｂを踏む等してオンすることにより、選択したシリンダ４６，４８，５４，６４，７５を伸長動作でき、選択したシリンダ４６，４８，５４，６４，７５が取り付けられた頭部台４、胸部台５、胴部台６および腰部台７のうちの少なくともいずれか一つ以上の台を上昇移動できる。またこの状態で、テープスイッチ９ｂを踏む動作を解除することにより、テープスイッチ９ｂがオフされ、選択されて伸長動作させたシリンダ４６，４８，５４，６４，７５を縮退動作させ、シリンダ４６，４８，５４，６４，７５が取り付けられた頭部台４、胸部台５、胴部台６および腰部台７のうちの少なくともいずれか一つの台４〜７を下降させることができる。
【００６９】
したがって、切換ハンドル９ａにて選択した所定の台４〜７をテープスイッチ９ｂのオンオフにて昇降動作できるため、所定の台を施術者が上方に引っ張って上昇移動させて固定する作業や、患者の所定部位に圧力を加えて上昇移動させた台を下方へドロップ移動させる作業を無くすことができる。よって、施術者に対する肉体的な負担を小さくできるとともに、施術される患者への負担を軽減させることができる。
【００７０】
さらに、テープスイッチ９ｂのオフにて選択したシリンダ４６，４８，５４，６４，７５を縮退動作させる際に、シリンダ４６，４８，５４，６４，７５のボトム室４６ｂ，４８ｂ，５４ｂ，６４ｂ，７５ｂから排出される空気を、強制排気弁４６ｇ，４８ｇ，５４ｇ，６４ｇ，７５ｇにて強制的に外部へ排出させることができる。したがって、これらシリンダ４６，４８，５４，６４，７５が取り付けられた頭部台４、胸部台５、胴部台６および腰部台７のうちの少なくともいずれか一つの台４〜７の下降動作が、これら台４〜７および、これら台４〜７に載った患者の自重に伴う落下スピードよりも強制的に急速かつ迅速となり、これら台４〜７を落下させる際の俊敏性、いわゆる「切れ」を向上できる。この結果、施術者が患者の所定部位、いわゆるコンタクトポイントを押えてサポートした状態で、シリンダ４６，４８，５４，６４，７５を縮退動作させることによって、患者の所定部位の適切な治療が可能となるから、施術者が不必要に患者の所定部位を強く押す等する必要が無くなるため、施術者に対する負荷を軽減でき、かつ、患者の所定部位を押えることができる施術者であれば、女性等の腕力の弱い施術者であっても適切な治療が可能になるとともに、施術者による不必要な患者の所定部位の押しが無くなるため、患者に対する負担も軽減させることができる。
【００７１】
また、踏む等して所定の圧力を付加することによりオンし、この圧力の付加を無くすことによりオフするテープスイッチ９ｂとしたことにより、施術者が指先等で患者の所定部位を押えた状態であっても、テープスイッチ９ｂを踏んだり離したりするだけで、所定の台４〜７を上昇および下降させてドロップ治療を行うことができる。よって、所定の台４〜７を昇降させる作業を容易に行うことができるから、施術者の使い勝手を向上でき、施術者に対する操作負担を軽減させることができる。
【００７２】
さらに、患者の上部頸椎、例えば第一頸椎から第四頸椎までのドロップ治療を行う場合に、エアコンプレッサからの空気が上下シリンダ４６へ供給されるように切換弁９０ａを操作した状態で、テープスイッチ９ｂをオンさせて上下シリンダ４６のシリンダ部４６ａが伸長する際に、リンク機構４４にて頭部マット４１が胸部マット５１に近づく方向（足側）に揺動されながら上方に移動する。そして、患者の上部頸椎の所定の位置を押えた状態で、テープスイッチ９ｂをオフさせて上下シリンダ４６のシリンダ部４６ａが縮退する際に、リンク機構４４にて頭部マット４１が胸部マット５１から遠ざかる方向（頭側）に揺動されながら下方に強制的にドロップ移動されるため、患者の上部頸椎のうちの押えた位置を支点とした牽引治療を行うことができる。
【００７３】
また、患者の下部頸椎、例えば第五頸椎から第七頸椎までのドロップ治療する場合に、エアコンプレッサからの空気が傾斜シリンダ４８へ供給されるように切換弁９０ａを操作し、かつ頭部プレート４２の下部から支点ピン４４ｄを引き抜いて、頭部プレート４２の頭側を回転中心として、頭部プレート４２を回動可能とさせた状態で、テープスイッチ９ｂをオンさせて傾斜シリンダ４８のシリンダ部４８ａが伸長する際に、リンク機構４４にて頭部マット４１の頭側のピン材４４ｃを回転中心として上方に回動される。そして、患者の下部頸椎の所定の位置を押えた状態で、テープスイッチ９ｂをオフさせて傾斜シリンダ４８のシリンダ部４８ａが縮退する際に、リンク機構４４にて頭部マット４１の頭側のピン材４４ｃを回転中心として頭部マット４１が下方に強制的にドロップ移動され、患者の頸椎を牽引することなく、下部頸椎の押えた位置での治療を行うことができる。
【００７４】
したがって、治療する患者の頸椎の位置に応じた適切なドロップ治療が可能となるため、施術者による、より適切なドロップ治療が可能になり、施術者に対する負担を軽減できるとともに、頸椎の適切な治療が可能になることから、患者に対する負担を軽減させることができる。特に、患者の上部頸椎の治療を行う場合に上下シリンダ４６を用い、患者の下部頸椎の治療を行う場合に傾斜シリンダ４８を用いる構成としたことにより、患者の頸椎を牽引しながら頭部マット４１を降下させる動作や、頭部マット４１を揺動させずに回動のみさせる動作を適切に行うことができる。したがって、患者の頸椎の位置に応じた適切な措置を行うための構成を簡略化でき、容易に行うことができるため、施術者に対する負担をより軽減させることができる。
【００７５】
特に、リンク機構４４の支点ピン４４ｄを取り外すという所定の操作を行うことにより、頭部台４の頭部マット４１を頭側のピン材４４ｃを回転中心として回動可能にできるため、リンク機構４４を用いた上下シリンダ４６による揺動動作と、傾斜シリンダ４８による回動動作との切り換える作業を容易にできるとともに、これら揺動動作および回動動作の取り違いを無くすことができるため、施術者の使い勝手をより向上でき、施術者に対する負担をより軽減させることができる。
【００７６】
［第２実施形態］
次に、本発明の第２実施形態による治療台について、図６を参照して説明する。図６は、治療台を駆動させるための第２実施形態に係る駆動システムの概略図である。
【００７７】
＜構成＞
本発明の第２実施形態に係る治療台１Ａは、図６に示すように、図１ないし図５に示す治療台１と略同様の構成であるが、上下シリンダ４６および傾斜シリンダ４８を除く、胸部シリンダ５４、胴部シリンダ６４および腰部シリンダ７５それぞれのエア回路構成が異なる構成とされている。具体的に、胸部シリンダ５４、胴部シリンダ６４および腰部シリンダ７４の各ボトム室５４ｂ，６４ｂ，７５ｂとロッド室５４ｃ，６４ｃ，７５ｃとの間に電磁弁５４ｈ，６４ｈ，７５ｈが接続されている。各電磁弁５４ｈ，６４ｈ，７５ｈは、供給されてくる空気をボトム室５４ｂ，６４ｂ，７５ｂへ供給する第１ポート５４ｉ，６４ｉ，７５ｉと、供給されてくる空気をロッド室５４ｃ，６４ｃ，７５ｃへ供給する第２ポート５４ｊ，６４ｊ，７５ｊとを有している。
【００７８】
各電磁弁５４ｈ，６４ｈ，７５ｈの第１ポート５４ｉ，６４ｉ，７５ｉとボトム室５４ｂ，６４ｂ，７５ｂとの間には、強制排気弁５４ｇ，６４ｇ，７５ｇが接続されている。各電磁弁５４ｈ，６４ｈ，７５ｈの上流側には、各電磁弁５４ｈ，６４ｈ，７５ｈへの空気の供給をオンオフするためのオンオフ弁５４ｋ，６４ｋ，７５ｋが接続されている。各オンオフ弁５４ｋ，６４ｋ，７５ｋの上流側は、エア供給口９０に接続されている。
【００７９】
＜胸部＞
上記第２実施形態の治療台１Ａにおいて、患者の胸部をドロップ治療する場合には、切換ハンドル９ａにて胸部台５のみ（Ｄ）、または胸部台５および胴部台６（ＤＬ）のいずれかを選択した状態で、オンオフ弁５４ｋをオンさせる。この後、テープスイッチ９ｂをオンさせることにより、電磁弁５４ｈが第１ポート５４ｉへ駆動され、エアコンプレッサからの空気が胸部シリンダ５４のボトム室５４ｂへ供給される。そして、テープスイッチ９ｂをオフさせることにより、電磁弁５４ｈが第２ポート５４ｊへ駆動され、エアコンプレッサからの空気が胸部シリンダ５４のロッド室５４ｃへ供給され、ボトム室５４ｂから排出される空気が強制排気弁５４ｇから強制的に外部へ排気される。
【００８０】
＜胴部＞
患者の胴部をドロップ治療する場合には、切換ハンドル９ａにて胸部台５および胴部台６（ＤＬ）、胴部台６のみ（Ｌ）、または胴部台６および腰部台７（ＬＰ）のいずれかを選択した状態で、オンオフ弁６４ｋをオンさせる。この後、テープスイッチ９ｂをオンさせることにより、電磁弁６４ｈが第１ポート６４ｉへ駆動され、エアコンプレッサからの空気が胴部シリンダ６４のボトム室６４ｂへ供給される。そして、テープスイッチ９ｂをオフさせることにより、電磁弁６４ｈが第２ポート６４ｊへ駆動され、エアコンプレッサからの空気が胴部シリンダ６４のロッド室６４ｃへ供給され、ボトム室６４ｂから排出される空気が強制排気弁６４ｇから強制的に外部へ排気される。
【００８１】
＜腰部＞
患者の腰部をドロップ治療する場合には、切換ハンドル９ａにて胴部台６および腰部台７（ＬＰ）、または腰部台７のみ（Ｐ）のいずれかを選択した状態で、オンオフ弁７５ｋさせる。この後、テープスイッチ９ｂをオンさせることにより、電磁弁７５ｈが第１ポート７５ｉへ駆動され、エアコンプレッサからの空気が腰部シリンダ７５のボトム室７５ｂへ供給される。そして、テープスイッチ９ｂをオフさせることにより、電磁弁７５ｈが第２ポート７５ｊへ駆動され、エアコンプレッサからの空気が腰部シリンダ７５のロッド室７５ｃへ供給され、ボトム室６４ｂから排出される空気が強制排気弁７５ｇから強制的に外部へ排気される。
【００８２】
以上の結果、上記第２実施形態においても、切換ハンドル９ａにて選択した所定の台４〜７をテープスイッチ９ｂのオンオフにて昇降動作できるとともに、テープスイッチ９ｂのオフにて選択したシリンダ４６，４８，５４，６４，７５を縮退動作させる際に、ボトム室４６ｂ，４８ｂ，５４ｂ，６４ｂ，７５ｂから排出される空気を、強制排気弁４６ｇ，４８ｇ，５４ｇ，６４ｇ，７５ｇにて強制的に外部へ排出できるため、上記第１実施の形態と同様の作用効果を奏することができる。
【００８３】
また、上記第２実施形態においては、胸部シリンダ５４、胴部シリンダ６４および腰部シリンダ７５への空気の供給をオンオフ弁５４ｋ，６４ｋ，７５ｋでオンオフさせた上で、空気の供給先を電磁弁５４ｈ，６４ｈ，７５ｈにてボトム室５４ｂ，６４ｂ，７５ｂまたはロッド室５４ｃ，６４ｃ，７５ｃへ切り替える構成とした。この結果、上述した第１実施の形態の場合に比べ、ボトム室５４ｂ，６４ｂ，７５ｂおよびロッド室５４ｃ，６４ｃ，７５ｃのそれぞれに同時に空気が供給されてしまうおそれを無くすことができる。
【００８４】
なお、上記各実施形態では、治療台１の治療台本体３上に患者を寝そべらせた状態で、この治療台本体３の頭部台４、胸部台５、胴部台６、腰部台７および脚部台８の順に、これら頭部台４、胸部台５、胴部台６、腰部台７および脚部台８の位置をそれぞれ調整したが、これら頭部台４、胸部台５、胴部台６、腰部台７および脚部台８を調整する順については、患者の体型や状態等に合わせて適宜変更することができる。
【符号の説明】
【００８５】
１，１Ａ  治療台
２    機台
３    治療台本体
４    頭部台
５    胸部台
６    胴部台
７    腰部台
８    脚部台
９ａ  切換ハンドル
９ｂ  テープスイッチ（スイッチ）
２１  昇降機構
２２  油圧シリンダ
３１  本体フレーム
３２  踏台部
４１  頭部マット
４１ａ，４１ｂ  マット材
４２  頭部プレート
４２ａ  上部連結部
４２ｂ  貫通穴
４２ｃ  係止凹部
４３  頭部スイングプレート
４３ａ  下部連結部
４３ｂ  貫通穴
４４  リンク機構
４４ａ  連結プレート
４４ｂ  連結穴
４４ｃ  ピン材
４４ｄ  支点ピン
４５    リフトアップ機構
４５ａ  リフトアップローラ
４５ｂ  リンク材
４６    上下シリンダ（シリンダ，移動用シリンダ）
４６ａ  シリンダ部
４６ｂ  ボトム室
４６ｃ  ロッド室
４６ｄ  電磁弁
４６ｅ  第１ポート
４６ｆ  第２ポート
４６ｇ  強制排気弁（強制排出弁）
４７    首振バー
４８    傾斜シリンダ（シリンダ，回動用シリンダ）
４８ａ  シリンダ部
４８ｂ  ボトム室
４８ｃ  ロッド室
４８ｄ  電磁弁
４８ｅ  第１ポート
４８ｆ  第２ポート
４８ｇ  強制排気弁（強制排出弁）
４９    前後シリンダ
４９ａ  シリンダ部
４９ｂ  ボトム室
４９ｃ  ロッド室
５１    胸部マット
５２    取付プレート
５３    操作ハンドル
５４    胸部シリンダ
５４ａ  シリンダ部
５４ｂ  ボトム室
５４ｃ  ロッド室
５４ｄ，５４ｆ  オンオフ弁
５４ｇ  強制排気弁
５４ｈ  電磁弁
５４ｉ  第１ポート
５４ｊ  第２ポート
５４ｋ  オンオフ弁
６１    胴部マット
６２    取付プレート
６４    胴部シリンダ
６４ａ  シリンダ部
６４ｂ  ボトム室
６４ｃ  ロッド室
６４ｄ，６４ｆ  オンオフ弁
６４ｇ  強制排気弁
６４ｈ  電磁弁
６４ｉ  第１ポート
６４ｊ  第２ポート
６４ｋ  オンオフ弁
７１    腰部マット
７１ａ  開口部
７２    腰部プレート
７３    腰部スイングプレート
７３ａ  連結部
７４    摘み
７５    腰部シリンダ
７５ａ  シリンダ部
７５ｂ  ボトム室
７５ｃ  ロッド室
７５ｄ，７５ｆ  オンオフ弁
７５ｇ  強制排気弁
７５ｈ  電磁弁
７５ｉ  第１ポート
７５ｊ  第２ポート
７５ｋ  オンオフ弁
８１    脚部マット
８２    脚部プレート
８３    連結フレーム
８４    脚部フレーム
８５    脚部シリンダ
８６    回転軸
８７    カム
９０    エア供給口
９０ａ  切換弁
９０ｂ  オンオフ弁
９１    電磁弁
９１ａ  第１ポート
９１ｂ  第２ポート
９１ｃ，９１ｄ  オンオフ弁
【要約】
【課題】施術者および患者の負荷を軽減できる治療台を提供する。
【解決手段】選択した所定の台４〜７をテープスイッチ９ｂのオンオフにて昇降動作する。所定の台４〜７を施術者が上方に引っ張って上昇移動させて固定する作業や、患者の所定部位に圧力を加えて上昇移動させた台を下方へドロップ移動させる作業を無くすことができる。シリンダ４６，４８，５４，６４，７５を縮退動作させる際に、ボトム室４６ｂ，４８ｂ，５４ｂ，６４ｂ，７５ｂから排出される空気を、強制排気弁４６ｇ，４８ｇ，５４ｇ，６４ｇ，７５ｇにて強制的に外部へ排出できる。台４〜７の下降動作を強制的に急速かつ迅速にできる。
【選択図】図１【図１】
0005433101.tif 000002
【図２】
0005433101.tif 000003
【図３】
0005433101.tif 000004
【図４】
0005433101.tif 000005
【図５】
0005433101.tif 000006
【図６】
0005433101.tif 000007